(57)【要約】【課題】  ルール設定の作業を効率的に行わせることのできる情報通信装置を提供する。【解決手段】  情報の送信元を識別する情報と、各送信元から受信された情報に関する処理ルールとを関連づけて記憶しており、情報を受信したときに、当該受信した情報の送信元を識別する情報に関連づけられた処理ルールが記憶されていない場合に、所定の処理ルールに関連づけて、送信元を識別する情報を記憶させる情報通信装置である。【選択図】        図１
2006270454.tif 000002
【特許請求の範囲】
【請求項１】
情報の送信元を識別する情報と、各送信元から受信された情報に関する処理ルールとを関連づけて記憶する記憶手段と、
情報を受信したときに、当該受信した情報の送信元を識別する情報に関連づけられた処理ルールが前記記憶手段に記憶されていない場合に、所定の処理ルールに関連づけて、前記送信元を識別する情報を、前記記憶手段に記憶させる、処理ルール更新手段と、
を含むことを特徴とする情報通信装置。
【請求項２】
請求項１に記載の情報通信装置であって、
情報を受信したときに、当該受信した情報の送信元を識別する情報に、当該送信元から情報を受信した回数の情報をカウントして格納する受信回数カウント手段、
をさらに含み、
前記受信した回数の情報が所定の処理に供されることを特徴とする情報通信装置。
【請求項３】
情報の送信元を識別する情報と、各送信元から受信された情報に関する処理ルールとを関連づけて記憶する記憶手段を備えた情報通信装置を用い、
情報を受信したときに、当該受信した情報の送信元を識別する情報に関連づけられた処理ルールが前記記憶手段に記憶されていない場合に、所定の処理ルールに関連づけて、前記送信元を識別する情報を、前記記憶手段に記憶させることを特徴とする情報通信装置の制御方法。
【請求項４】
情報の送信元を識別する情報と、各送信元から受信された情報に関する処理ルールとを関連づけて記憶する記憶手段を備えた情報通信装置に、
情報を受信したときに、当該受信した情報の送信元を識別する情報に関連づけられた処理ルールが前記記憶手段に記憶されていない場合に、所定の処理ルールに関連づけて、前記送信元を識別する情報を、前記記憶手段に記憶させることを特徴とするプログラム。
【発明の詳細な説明】
【技術分野】
【０００１】
本発明は、ファクシミリ等の情報通信装置に関する。
【背景技術】
【０００２】
メモリ受信、親展受信、付加情報表示等の受信処理をダイヤルイン番号毎に振り分けるダイヤルイン機能付きファクシミリ装置が、例えば特許文献１等に開示されている。
【特許文献１】特開平０６−３０２１４号公報
【特許文献２】特開２００２−１３５５５２号公報
【発明の開示】
【発明が解決しようとする課題】
【０００３】
しかしながら、上記従来のファクシミリ装置では、送信側で、情報の通信を行なう前にデータボックスのボックス番号またはパスワードを受信側に通知しなければならず、多大な負担となっていた。そこで、特許文献２に開示されているように、発信者によりデータボックスの指定がない場合は、当該発信者からの受信データを予め設定されたルールに従って選定した所定のデータボックスに蓄積することも考えられる。
【０００４】
この特許文献２に開示のものでは、送信側からボックス番号などの指定を行う必要はないものの、例えば発信者ごとにルールを設定しているケースでは、当該ルールが設定されていない新規の発信者から情報を受信した場合に、当該新規の発信者に関するルールを設定するには、当該新規の発信者の存在を認識し、その発信者についてルールを設定するべきか否か（今後も情報を送信する可能性のある発信者であるか否か、など）を判断して、必要があると判断したときに、新規にルールを設定するという作業を行う必要がある。
【０００５】
本発明は上記実情に鑑みて為されたもので、このようなルール設定の作業を効率的に行わせることのできる情報通信装置を提供することを、その目的の一つとする。
【課題を解決するための手段】
【０００６】
上記従来例の問題点を解決するための本発明は、情報通信装置であって、情報の送信元を識別する情報と、各送信元から受信された情報に関する処理ルールとを関連づけて記憶する記憶手段と、情報を受信したときに、当該受信した情報の送信元を識別する情報に関連づけられた処理ルールが前記記憶手段に記憶されていない場合に、所定の処理ルールに関連づけて、前記送信元を識別する情報を、前記記憶手段に記憶させる、処理ルール更新手段と、を含むことを特徴としている。
【０００７】
ここで、情報を受信したときに、当該受信した情報の送信元を識別する情報に、当該送信元から情報を受信した回数の情報をカウントして格納する受信回数カウント手段、をさらに含み、前記受信した回数の情報が所定の処理に供されることとしてもよい。
【０００８】
また、本発明の一態様に係る情報通信装置の制御方法は、情報の送信元を識別する情報と、各送信元から受信された情報に関する処理ルールとを関連づけて記憶する記憶手段を備えた情報通信装置を用い、情報を受信したときに、当該受信した情報の送信元を識別する情報に関連づけられた処理ルールが前記記憶手段に記憶されていない場合に、所定の処理ルールに関連づけて、前記送信元を識別する情報を、前記記憶手段に記憶させることを特徴としている。
【０００９】
さらに、本発明の別の態様に係るプログラムは、情報の送信元を識別する情報と、各送信元から受信された情報に関する処理ルールとを関連づけて記憶する記憶手段を備えた情報通信装置に、情報を受信したときに、当該受信した情報の送信元を識別する情報に関連づけられた処理ルールが前記記憶手段に記憶されていない場合に、所定の処理ルールに関連づけて、前記送信元を識別する情報を、前記記憶手段に記憶させることを特徴としている。
【発明を実施するための最良の形態】
【００１０】
本発明の実施の形態について図面を参照しながら説明する。本発明の実施の形態に係る情報通信装置は、例えばファクシミリ装置であり、図１に示すように、制御部１１と、記憶部１２と、操作部１３と、表示部１４と、スキャナ部１５と、プリンタ部１６と、通信部１７とを含んで構成されている。
【００１１】
制御部１１は、ＣＰＵ等で実現でき、記憶部１２に格納されているプログラムに従って動作する。この制御部１１は、通信部１７を介して受信した情報について、予め定められた処理ルールを参照し、当該処理ルールに基づく処理を行う。また、この制御部１１は、処理ルールが設定されていない場合に、処理ルールを更新する処理を実行する。この制御部１１の具体的な処理の内容については、後に詳しく述べる。
【００１２】
記憶部１２は、例えばＲＯＭや、ＲＡＭ等の記憶素子を用いて実現される。この記憶部１２には、制御部１１によって実行されるプログラムが格納されている。また、この記憶部１２は、制御部１１のワークメモリとしても動作する。
【００１３】
操作部１３は、例えばキーパッドであり、電話番号等を入力するためのテンキー等を含む。この操作部１３は、利用者が入力したキー操作の内容を、制御部１１に出力する。表示部１４は、例えば液晶ディスプレイであり、制御部１１から入力される指示に従って、情報を表示する。スキャナ部１５は、セットされた原稿を光学的に読み取って画像データを生成し、制御部１１に出力する。プリンタ部１６は、制御部１１から入力される指示に従って画像を用紙上に形成する。
【００１４】
通信部１７は、例えば少なくとも一つのモデムを含んで構成される。モデムは、ＩＳＤＮ（統合ディジタル通信網）やＰＳＴＮ（公衆電話回線網）等の電話通信網に接続され、複数ある場合には、それぞれ個別の電話番号（ダイアルイン番号）が設定される。この通信部１７は、制御部１１から入力される指示に従って、指定された通信先の電話番号を発呼し、通信先との接続ができたときに、指示された画像データを送出する。また、この通信部１７は、電話回線網を介して着呼の要求を受けると、当該呼を着信して、画像データ等の受信を行う。本実施の形態では、通信部１７は、呼を着信したときに、例えば電話番号発信者通知に係る情報や、受信したモデムの電話番号（ダイアルイン番号）、ファクシミリにおける識別情報、サブアドレス（いわゆるＦコード）、受信した日時の情報など、送信元を識別するための情報を制御部１１に出力する。
【００１５】
ここで制御部１１の処理の内容について説明する。本実施の形態では、この制御部１１が記憶部１２に格納されたプログラムを実行することで、情報通信装置としての機能を実現する。このプログラムは、機能的には、図２に示すように、受信制御部２１と、処理ルール検索部２２と、ルール処理部２３と、処理ルール更新部２４とを含んで構成されている。
【００１６】
なお、以下の説明では、説明を簡略にするため、処理ルールによって定められる処理は、ファクシミリデータの転送処理であり、処理ルールによって、その転送先が定められるものとする。もっとも、処理ルールは、さらに画像処理や、ＯＣＲの処理、電子メールでの転送処理など、他の処理を規定するものであっても構わない。
【００１７】
受信制御部２１は、通信部１７が受信したデータの入力を受けて、当該データを記憶部１２に格納するとともに、送信元を識別する情報を処理ルール検索部２２に出力する。ここでは送信元を識別する情報（送信元識別情報）は、通信部１７において受信したモデムの電話番号（ダイアルイン番号）と、発信者識別子（発信者ＩＤ）と、サブアドレス（Ｆコード）とであるとする。すなわち、本実施の形態では、図３に示すように、各処理ルールとしての転送先の設定値が、これらの送信元識別情報に関連付けて、処理ルールデータベースとして、記憶部１２に保持されている。なお、図３では、各処理ルールについて、固有の識別番号が関連づけられ、また、その使用回数の情報が関連づけられている。ここで処理ルールの使用回数は、各送信元識別情報によって識別される送信元からの受信回数を表すものである。
【００１８】
処理ルール検索部２２は、受信制御部２１から送信元識別情報の入力を受けると、当該送信元識別情報に関連づけられている処理ルールを、処理ルールデータベースから検索する。ここで検索の条件は、ダイアルイン番号、発信者ＩＤ、Ｆコードのすべてが一致するとの条件（いわゆるＡＮＤ条件）であってもよいし、いずれかが一致するとの条件（いわゆるＯＲ条件）であってもよい。さらに、ここでの検索条件には、いわゆる正規表現が用いられてもよく、具体的な例としては、一部一致を表現するため、任意の文字に合致する正規表現文字列が予め設定されていてもよい。こうした正規表現を用いた検索の方法は、広く知られているので、ここでの詳細な説明は省略する。
【００１９】
処理ルール検索部２２は、検索の結果、条件に合致する処理ルールを見いだすと、当該処理ルールに対応する識別番号を読み出して、ルール処理部２３に出力する。また、この処理ルール検索部２２は、条件に合致する処理ルールが見いだされない場合（処理ルールの設定されていない送信元から受信した場合）、検索の条件に含まれる送信元識別情報を、処理ルール更新部２４に出力する。
【００２０】
ルール処理部２３は、処理ルール検索部２２から処理ルールの識別番号の入力を受けて、当該識別番号に対応する使用回数の情報を「１」だけインクリメントし、処理ルールデータベースを更新する。また、入力された識別番号に対応する処理ルールを読み出して、当該処理ルールとして定められた配信先に対して、記憶部１２に格納されているファクシミリデータを転送する。つまり、通信部１７に、当該配信先の電話番号を発呼させ、相手側と通信が可能となったところで、記憶部１２に格納されているファクシミリデータを送信させる。
【００２１】
なお、後に説明するように、処理ルールが「未設定」を表すものとなっている場合がある。この場合は、ルール処理部２３は、使用回数をインクリメントする。なお、この場合ルール処理部２３は、記憶部１２に格納したファクシミリデータを、「未設定」の場合に移動するべき場所として予め定められた格納先に移動し、又は／及び、予め定められた転送先に転送するようにしてもよい。
【００２２】
処理ルール更新部２４は、処理ルール検索部２２から送信元識別情報が入力されると、処理ルールデータベース内で未だ用いられていない識別番号（固有の識別番号）を発行する。そして、当該識別番号と、入力された送信元識別情報とを関連付けて処理ルールデータベースに登録し、処理ルールデータベースを更新する。このとき、当該発行した識別番号に対応する処理ルールは、「未設定」を表す情報としておけばよい。また、使用回数の情報は「１」としておけばよい。このように処理ルールデータベースに送信元識別情報を仮に登録しておくことで、ルールの設定作業が容易になる。
【００２３】
さらに、制御部１１は、処理ルールデータベースの内容を編集させる処理を実行してもよい。すなわち制御部１１は、利用者から処理ルールデータベースの編集を行うべき旨の指示がされた場合に、次のように動作する。
【００２４】
まず制御部１１は、処理ルールの編集画面を表示部１４に表示する。この表示の処理は、例えば次のように行われる。制御部１１は、まず記憶部１２に格納されている処理ルールデータベースから、各識別番号に関連づけられている情報を読み出して、各情報をテーブルとして、例えば図４に示すように表示する。
【００２５】
また制御部１１は、このテーブル上で、編集の対象となる処理ルールを選択させるため、カーソル（Ｃ）を表示する。制御部１１は、利用者がカーソルを移動するための指示操作を行うと、当該指示操作に応じて、このカーソルを移動する。
【００２６】
利用者が、編集操作を行う旨の指示操作をさらに行うと、制御部１１は、その時点でカーソルによって指定されている処理ルールの各情報を表示部１４に表示する。ここでは、送信元識別情報と、処理ルールとが編集可能な状態で表示されるものとする（図５）。
【００２７】
ここで利用者が処理ルールを設定する場合、転送先の電話番号などを操作部１３から直接入力してもよいし、別途電話帳データなどが記憶部１２に格納されている場合は、当該電話帳データを表示して、利用者に、当該電話帳データから転送先を選択させるようにしてもよい。さらに、既に別の処理ルールとして、処理ルールデータベースに登録されている転送先のリストを生成して表示し、当該リストから転送先を選択させてもよい。
【００２８】
この編集画面では、処理ルールが「未設定」となっているものも表示されるので、利用者は、処理ルールが「未設定」となっているものについて、その使用回数（受信回数）を参考に、設定の必要性を判断し、必要であれば処理ルールの内容を設定することになる。この際、電話帳データや他の処理ルールが提示されるようにすれば、利用者はそれらを参照しながら設定を行うことができる。
【００２９】
さらに、この編集画面においては、処理ルールを新規に生成するべき旨の指示を受け入れてもよい。この場合、制御部１１は、送信元識別情報と処理ルールとを入力させる画面（図５と同様）を表示する。ここで、送信元識別情報や処理ルールが入力されると、制御部１１は、入力された送信元識別情報に関連づけられている処理ルールが既に処理ルールデータベースに格納されていないかを調べる。ここで、入力された送信元識別情報に関連する処理ルールが既に登録されている場合は、既存の処理ルールを表示して、変更をするか否かの確認を求める。ここで、変更をするとの確認がされた場合は、制御部１１は、既存の処理ルールを、入力された処理ルールで上書きして、処理ルールデータベースを更新する。
【００３０】
また、入力された送信元識別情報に関連する処理ルールが登録されていない場合は、処理ルールデータベース内で未だ用いられていない識別番号（固有の識別番号）を発行する。そして、当該発行した識別番号と、送信元識別情報と、処理ルールとを関連付けて処理ルールデータベースに登録し、処理ルールデータベースを更新する。このとき、当該発行した識別番号に対応する使用回数の情報は「０」としておけばよい。
【００３１】
なお、ここまでの説明では、電話回線網を介して受信されたファクシミリデータについての処理を行う例について述べたが、これに限らず、インターネットを介して受信したファクシミリデータについても同様に処理できる。また、ファクシミリデータだけでなく、電子メールであってもよい。電子メール等、他のデータを用いる場合は、それに対応する送信元識別情報を利用する。例えば電子メールの場合は、送信者アドレスや受信者アドレス等を用いることができ、またインターネットを介して受信されるファクシミリデータの場合は、ユーザ名、電話番号、ドメイン名、送信者が利用した装置の属する組織名（ドメイン名）などを用いる。
【００３２】
本実施の形態によると、処理ルールの設定の作業を効率的に行わせることができる。
【図面の簡単な説明】
【００３３】
【図１】本発明の実施の形態に係る情報通信機器の構成ブロック図である。
【図２】本発明の実施の形態に係る情報通信機器の機能ブロック図である。
【図３】処理ルールデータベースの内容例を表す説明図である。
【図４】処理ルールの編集画面の一例を表す説明図である。
【図５】処理ルールを編集するための画面の一例を表す説明図である。
【符号の説明】
【００３４】
１１  制御部、１２  記憶部、１３  操作部、１４  表示部、１５  スキャナ部、１６  プリンタ部、１７  通信部、２１  受信制御部、２２  処理ルール検索部、２３  ルール処理部、２４  処理ルール更新部。
【図１】
2006270454.tif 000003
【図２】
2006270454.tif 000004
【図３】
2006270454.tif 000005
【図４】
2006270454.tif 000006
【図５】
2006270454.tif 000007